(57)【要約】【課題】  従来のコードレス電話機の親機に改良を加えることによって、パーソナルコンピュータから離れた場所でもボイスチャットが可能なＩＰ電話システム及びそれに使用するＩＰ電話用コードレス電話機を提供することにある。【解決手段】  通信回線(24)に接続されたパーソナルコンピュータ(21)のＵＳＢ端子と、ＩＰ電話用コードレス電話機の親機(27)に設けたＵＳＢ端子間をＵＳＢケーブル(26)で接続し、該ＩＰ電話用コードレス電話機の子機(28)で、通話相手とのボイスチャットを行うＩＰ電話システム。【選択図】  図２
2005175722.tif 000002
【特許請求の範囲】
【請求項１】
通信回線に接続されたパーソナルコンピュータのＵＳＢ端子と、ＩＰ電話用コードレス電話機の親機に設けたＵＳＢ端子間をＵＳＢケーブルで接続し、該ＩＰ電話用コードレス電話機の子機で、通話相手とのボイスチャットを行うことを特徴とするＩＰ電話システム。
【請求項２】
通信回線に接続されたパーソナルコンピュータのＵＳＢ端子と、ＩＰ電話用コードレス電話機の親機に設けたＵＳＢ端子間をＵＳＢ端子ケーブルで接続すると共に、前記ＩＰ電話用コードレス電話機の親機の外線接続端子をスプリッタを介して前記通信回線に接続して、前記ＩＰ電話用コードレス電話機の子機及び／又は親機で、通話相手とのボイスチャット及び／又は回線交換による通話を行うことを特徴とするＩＰ電話システム。
【請求項３】
前記子機によるボイスチャット中に、回線交換の着信があった際に、親機から子機に対して前記着信の通知を出力することを特徴とする請求項２に記載のＩＰ電話システム。
【請求項４】
ＩＰ電話に使用されるＩＰ電話用コードレス電話機であって、
前記コードレス電話機の親機に、ＵＳＢオーディオ手段と、ＵＳＢ端子及び外線接続端子が設けられていることを特徴とするＩＰ電話用コードレス電話機。
【請求項５】
前記子機によるボイスチャット中に、回線交換通話の着信があった際に、親機から子機に対して前記着信の通知を出力する着信通知手段を備えたことを特徴とする請求項４に記載のＩＰ電話システム。
【請求項６】
前記コードレス電話機は、親機に子機を載置して充電する形式であることを特徴とする請求項４又は５に記載のＩＰ電話用コードレス電話機。
【請求項７】
前記コードレス電話機は、親機とは別の充電器に子機を載置して充電する形式であることを特徴とする請求項４又は５に記載のＩＰ電話用コードレス電話機。
【発明の詳細な説明】
【技術分野】
【０００１】
本発明は、パーソナルコンピュータを使用したＩＰ（インターネット・プロトコル）電話システム、特にパーソナルコンピュータの設置位置から離れた位置でボイスチャット（通話）が可能なＩＰ電話システムに関する。
【背景技術】
【０００２】
図５は、従来のパーソナルコンピュータを使用したＩＰ電話システムの使用形態を示す図である。
ＩＰ電話とは、インターネットの通信方式であるＩＰ（インターネット・プロトコル）を使用する電話方式である。
この電話方式は、従来の通話の度に回線の接続を行い、通話終了と共に回線を切断する従来の回線交換方式（Circuit-Switching-System）の従来の公衆電話方式では、通話中に回線を占有するものに対して、通話データをデジタル化して複数のパケットに分割して伝送するため、伝送効率が良い。
【０００３】
図５において２１はパーソナルコンピュータであって、モデム２２及びスプリッタ２３を介して通信回線（電話回線）２４に接続されている。
ＩＰ電話システムを利用するユーザは、自分のパーソナルコンピュータ２１のマイク・スピーカー端子にヘッドセット２５の端子を接続して、該ヘッドセット５を自分の耳及び口元にセットしてボイスチャット（通話）を実行していた。
この使用形態では、パーソナルコンピュータ２１のマイク・スピーカー端子にヘッドセット２５の端子を接続する必要があるため、必然的にパーソナルコンピュータの近くで会話をすることになり、会話をする位置に制限が加えられることになる。
このような従来例としては以下のものが知られている。（例えば、特許文献１参照）
該文献には、ＩＰ電話装置装置として、マイクロフォンおよびヘッドフォンを備え通話（ボイスチャット）を行うものが記載されている。
【０００４】
次に、従来のコードレス電話機（特許文献２参照）のハードウエア構成及びデータの流れを図３及び図４を用いて説明する。
図３は、従来のコードレス電話機の親機の構成を示すブロック図である。
図３において、親機は、電話回線（外線）接続端子Ｌ１，Ｌ２に入力される外線着信信号および受話信号を検波する検波回路１と、電話機と電話回線との回線接続を制御する回線制御回路２と、この回線制御回路２を介して入力されてくる受話信号を他の回路に送出したり、外線への送話信号の送出を行う通話回路３とを備えている。
また、子機との間でＭＣＡ（マルチ・チャンネル・アクセス）方式による無線通話回路を形成する無線送受信回路４と、子機との間で無線の送受信を行うアンテナ５と、回線制御回路２および通話回路３，無線送受信回路４に接続されて各回路の作動制御を行うＣＰＵ６とを備えている。
また、７は外線接続端子Ｌ１，Ｌ２から入力されてくる外線着信信号を検出するベル検出回路（リング回路）であり、このリング回路７による外線着信信号の検出によって、図示しないモニタスピーカを鳴らす。
なお、この図には示されてはいないが、親機にはＣＰＵ６に接続されて電話番号等のデータ入力や電話機操作を行うキースイッチと、ＣＰＵ６に接続されたドライバおよび該おドライバによって駆動される液晶パネルや有機ＥＬなどのディスプレイパネルを備えている。
【０００５】
また、図４は子機であって、前記親機との間で無線の送受信を行うアンテナ１１と、このアンテナ１１を介して親機との間でＭＣＡ方式による無線通話回路を形成する無線送受信回路１２と、この無線送受信回路１２を介して入力されてくる受話信号や外線に送出する通信回路１３の音声処理を行うＣＰＵ１４とを備えている。
また、ＣＰＵ１４に接続されて電話番号等のデータ入力や電話機操作を行うキースイッチ１５と、ＣＰＵ１４に接続された表示回路（ドライバ）１６によって駆動される図示しない液晶パネルや有機ＥＬなどのディスプレイパネルとを備えている。
また、図４中、１７はマイク、１８はレシーバである。
【特許文献１】特開２００３−１５８５５３号公報号  （（００１７）〜（００１９））
【特許文献２】特開２００２−５５７８１号公報号  （図１，２及び（００４２）〜（００４５））
【発明の開示】
【発明が解決しようとする課題】
【０００６】
上記の如く、従来のパーソナルコンピュータを用いたＩＰ電話装置は、パーソナルコンピュータに接続されたマイクロフォンおよびヘッドフォンを使用してボイスチャット（通話）を行うため、パーソナルコンピュータから離れた場所でボイスチャットを行うことはできなかった。
また、従来のコードレス電話機は、電話回線（外線）に接続された親機とは離れた場所で通話が可能であるが、パーソナルコンピュータを使用したＩＰ電話としては利用できなかった。
【０００７】
本発明の課題（目的）は、従来のコードレス電話機の親機に改良を加えることによって、パーソナルコンピュータから離れた場所でもボイスチャットが可能なＩＰ電話システム及びそれに使用するＩＰ電話用コードレス電話機を提供することにある。
【課題を解決するための手段】
【０００８】
前記課題を解決するために、請求項１に記載の発明では、通信回線に接続されたパーソナルコンピュータのＵＳＢ端子と、ＩＰ電話用コードレス電話機の親機に設けたＵＳＢ端子間をＵＳＢケーブルで接続し、該ＩＰ電話用ードレス電話機の子機で、通話相手とのボイスチャットを行うことを特徴とするＩＰ電話システム。
【０００９】
また、請求項４に記載の発明では、ＩＰ電話に使用されるＩＰ電話用コードレス電話機であって、前記コードレス電話機の親機に、ＵＳＢオーディオ手段と、ＵＳＢ端子及び外線接続端子が設けられていることを特徴とする。
【発明を実施するための最良の形態】
【００１０】
本発明のパーソナルコンピュータを使用したＩＰ電話システムの使用形態を図２に示す。
図２において２１はパーソナルコンピュータであって、モデム２２及びスプリッタ２３を介して通信回線（電話回線）２４に接続されている。
また、前記パーソナルコンピュータ２１のＵＳＢ端子からＵＳＢケーブル２６を介して、従来のコードレス電話機に若干の改良を加えた本発明におけるＩＰ電話用コードレス電話機の親機２７のＵＳＢ端子に接続されると共に、該ＩＰ電話用コードレス電話機２７の親機の電話回線（外線）接続端子はスプリッタを介して電話回線に接続されている。
この状態で、ＩＰ電話システムを利用するユーザは、ＩＰ電話用コードレス電話機の子機２８を使用してパーソナルコンピュータから離れた場所でも会話（ボイスチャット）をできる。
このように、本発明のＩＰ電話システムでは、パーソナルコンピュータ１のマイク・スピーカー端子にヘッドセット５の端子を接続する必要がないため、パーソナルコンピュータの近くで会話をするという制限をなくすことができる。
【００１１】
次に、本発明のＩＰ電話用コードレス電話機の構成を図１を用いて説明する。
図１は、本発明のＩＰ電話用コードレス電話機の親機の構成を示すブロック図である。
図１において、親機は、電話回線（外線）接続端子Ｌ１，Ｌ２に入力される外線着信信号および受話信号を検波する検波回路１と、電話機と電話回線との回線接続を制御する回線制御回路２と、この回線制御回路２を介して入力されてくる受話信号を他の回路に送出したり、外線への送話信号の送出を行う通話回路３とを備えている。
また、子機との間でＭＣＡ（マルチ・チャンネル・アクセス）方式による無線通話回路を形成する無線送受信回路４と、子機との間で無線の送受信を行うアンテナ５と、回線制御回路２および通話回路３，無線送受信回路４に接続されて各回路の作動制御を行うＣＰＵ６とを備えている。
また、７は外線接続端子Ｌ１，Ｌ２から入力されてくる外線着信信号を検出するベル検出回路（リング回路）であり、このリング回路７による外線着信信号の検出によって、図示しないモニタスピーカを鳴らす。
なお、この図には示されてはいないが、親機にはＣＰＵ６に接続されて電話番号等のデータ入力や電話機操作を行うキースイッチと、ＣＰＵ６に接続されたドライバおよび該おドライバによって駆動される液晶パネルや有機ＥＬなどのディスプレイパネルを備えている。
【００１２】
上記構成は、図３の従来のコードレス電話機の親機と同様であるが、本発明のＩＰ電話機用コードレス電話機の親機では、該親機本体にパーソナルコンピュータのＵＳＢ端子にＵＳＢケーブルを介して接続させるＵＳＢ端子を設け、該ＵＳＢ端子の入出力を制御するＵＳＢ制御ＣＰＵ８と、デジタル／アナログ変換、及び、アナログ／デジタル変換するＤ／Ａ，Ａ／Ｄ変換部９を設け、該Ｄ／Ａ，Ａ／Ｄ変換部９の一端を前記通話回路３と無線送受信回路間に接続する。
なお、本願明細書では、前記コードレス電話機の親機に備えられる、ＵＳＢ端子の入出力を制御するＵＳＢ制御ＣＰＵ８と、Ｄ／Ａ，Ａ／Ｄ変換部９とで実現される機能をＵＳＢオーディオ機能といい、該機能を実現する手段をＵＳＢオーディオ手段という。
また、図１では、前記ＵＳＢ制御ＣＰＵ８をコードレス電話機の親機用のＣＰＵ６とは別に設けているが、両者を１個のＣＰＵで兼用することも可能である。
【００１３】
また、本発明のＩＰ電話用コードレス電話機の子機の構成は、基本的には従来の子機の構成と同様で、図４に示す構成になっている。
その構成は上記の記載と重複するが、以下のとおりである。
親機との間で無線の送受信を行うアンテナ１１と、このアンテナ１１を介して親機との間でＭＣＡ方式による無線通話回路を形成する無線送受信回路１２と、この無線送受信回路１２を介して入力されてくる受話信号や外線に送出する通信回路１３の音声処理を行うＣＰＵ１４とを備えている。
また、ＣＰＵ１４に接続されて電話番号等のデータ入力や電話機操作を行うキースイッチ１５と、ＣＰＵ１４に接続された表示回路（ドライバ）１６によって駆動される図示しない液晶パネルや有機ＥＬなどのディスプレイパネルとを備えている。
また、図４中、１７はマイク、１８はレシーバである。
【００１４】
本発明のＩＰ電話用コードレス電話機の親機は、図１の如き構成を備えているので、図２の如く、パーソナルコンピュータ２１をモデム２２及びスプリッタ２３を介して通信回線（電話回線）２４に接続し、パーソナルコンピュータ２１のＵＳＢ端子からＵＳＢケーブル２６を介して、ＩＰ電話用コードレス電話機２７の親機のＵＳＢ端子に接続することによって、ＩＰ電話システムを利用するユーザは、ＩＰ電話用コードレス電話機の子機を使用してパーソナルコンピュータから離れた場所でも会話（ボイスチャット）をできる。
このように、本発明のＩＰ電話システムでは、パーソナルコンピュータ１のマイク・スピーカー端子にヘッドセット５の端子を接続する必要がないため、パーソナルコンピュータの近くで会話をするという制限をなくすことができる。
【００１５】
本発明のＩＰ電話システムは、図２に示す如き構成であるため、ＩＰ電話に関する信号はパーソナルコンピュータでパケット化されたデジタル信号であり、電話回線を介した回線交換で通話される音声信号はアナログ信号であるので、同一の電話回線でもＡＤＳＬ等の伝送技術を用いることによって、両方の信号を送受することが可能である。
したがって、ＩＰ電話によるボイスチャット中に、回線交換の着信が発生した場合に、着信を受けた親機から、ボイスチャット中の子機に対して、音声等によって着信を通知することができる。
【００１６】
また、本発明のＩＰ電話用コードレス電話機における親機と子機との間の無線送受信回路を時分割等によって多重化することによって、ＩＰ電話によるボイスチャットと、回線交換による通話とを併用することも可能である。
【００１７】
本発明のＩＰ電話用コードレス電話機の親機と子機との構造的な関係としては、親機に子機を載置して子機の充電を行うタイプや、親機とは別の充電器を備えていて子機を受電するタイプのどちらでも採用できる。
【００１８】
請求項１〜９に記載のＩＰ電話システム及びそれに使用するＩＰ電話用コードレス電話機によれば、パーソナルコンピュータのマイク・スピーカー端子にヘッドセットの端子を接続する必要がないため、パーソナルコンピュータの近くで会話をするという制限をなくし、ボイスチャット場所を自由に選択できる。
また、ＩＰ電話によるボイスチャット中に、回線交換の着信が発生した場合に、着信を受けた親機から、ボイスチャット中の子機に対して、音声等によって着信を通知することができる等の特有の効果を奏するので、産業上の利用可能性は極めて大きい。
【図面の簡単な説明】
【００１９】
【図１】本発明のＩＰ電話用コードレス電話機の親機の構成を示すブロック図である。
【図２】本発明のＩＰ電話システムの使用形態を示す図である。
【図３】従来の電話機の一例におけるコードレス電話機の親機の構成を示すブロック図である。
【図４】コードレス電話機（従来及び本発明）の子機の構成を示すブロック図である。
【図５】従来のＩＰ電話システムの使用形態を示す図である。
【符号の説明】
【００２０】
２１        パーソナルコンピュータ
２２        モデム
２３        スプリッタ
２４        電話回線
２６        ＵＳＢケーブル
２７        ＩＰ電話用コードレス電話機親機
２８        ＩＰ電話用コードレス電話機子機
【図１】
2005175722.tif 000003
【図２】
2005175722.tif 000004
【図３】
2005175722.tif 000005
【図４】
2005175722.tif 000006
【図５】
2005175722.tif 000007